(57)【特許請求の範囲】
【請求項１】
本体内を天面から垂設された遮蔽部材により流入室と流出室との２室に区画し、
前記流入室の天面に洗い場排水流入用の開口を設け、
前記遮蔽部材と本体底面との間の封水に水没する部位に前記流入室と前記流出室との連通部を設け、
前記流出室に流出口を設けた排水トラップであって、
前記流入室の側面に浴槽排水が流入する浴槽排水流入口を設け、
前記浴槽排水により前記流入室内に渦流を発生させる渦流発生手段を設けたことを特徴とする排水トラップ。
【請求項２】
前記流入室の平面視が略円形状であり、前記渦流発生手段が、浴槽排水が前記流入室の内周面に沿って流入するように開口された浴槽排水流入口と、湾曲状に設けられた前記遮蔽部材とで構成されていることを特徴とする請求項１に記載の排水トラップ。
【請求項３】
流入室の上方に吸込口を設け、前記流出室の封水に水没する位置に給気口を設け、該吸込口と該給気口とを連通させたことを特徴とする請求項１または請求項２に記載の排水トラップ。
【請求項４】
前記給気口に、多数の小径の孔を有する散気部材を設けたことを特徴とする請求項３に記載の排水トラップ。
【請求項５】
ドア下排水管や追焚循環口受けトレーからの排水管を接続する接続部を、前記流入室に配設したことを特徴とする請求項１乃至請求項４の何れかに記載の排水トラップ。
【請求項６】
ドア下排水管や追焚循環口受けトレーからの排水管を接続する接続部を、前記流出室に配設したことを特徴とする請求項１乃至請求項４の何れかに記載の排水トラップ。
【請求項７】
排水トラップ内に溜められる封水の直上に配置されるヘアキャッチャー中央の底面が、該ヘアキャッチャーの支持部より封水面に近い位置に配置されている請求項１乃至請求項６の何れかに記載の排水トラップ。
【請求項８】
排水トラップ内に溜められる封水の直上に配置されるヘアキャッチャーには縦リブと横リブにより多数の小開口が形成されており、縦リブの内側面は渦流の回転方向に傾斜した傾斜面とされていることを特徴とする請求項１乃至請求項７の何れかに記載の排水トラップ。
【請求項９】
請求項１乃至請求項８の何れかに記載の排水トラップを備えた浴室。
【発明の詳細な説明】
【技術分野】
【０００１】
本発明は、排水トラップ及びこの排水トラップを備えた浴室に関するものである。
【背景技術】
【０００２】
従来、特許文献１に開示されているように、トラップ本体内に封水筒を備えた排水トラップにおいて、トラップ本体内に流れ込んできた排水がトラップ本体の円周に流れる構造のものがある。
【特許文献１】特開２００５−１８００７７号公報
【発明の開示】
【発明が解決しようとする課題】
【０００３】
上記従来の排水トラップのように、排水トラップの封水筒の外側で渦流を発生させる思想はあるものの、封水筒の内側で渦流が生じるものではないため、封水筒の上方に装着したヘアキャッチャーに付着する髪の毛等を剥がすことはできないものであった。そのため、ヘアキャッチャー全面に髪の毛等が付着した場合には、通水が阻害されるという問題点があった。
【課題を解決するための手段】
【０００４】
本発明は上記従来の問題点に鑑み案出したものであって、ヘアキャッチャーに付着する髪の毛等を良好に剥がすことができる排水トラップ及びこの排水トラップを備えた浴室を提供するものであり、その請求項１は、本体内を天面から垂設された遮蔽部材により流入室と流出室との２室に区画し、流入室の天面に洗い場排水流入用の開口を設け、遮蔽部材と本体底面との間の封水に水没した部位に流入室と流出室との連通部を設け、流出室に流出口を設けた排水トラップであって、前記流入室の側面に浴槽排水が流入する浴槽排水流入口を設け、前記浴槽排水により前記流入室内に渦流を発生させる渦流発生手段を設けたことである。
【０００５】
また請求項２は、前記流入室の平面視が略円形状であり、前記渦流発生手段が、浴槽排水が前記流入室の内周面に沿って流入するように開口された浴槽排水流入口と、湾曲状に設けられた前記遮蔽部材とで構成されていることである。
【０００６】
また請求項３は、流入室の上方に吸込口を設け、前記流出室の封水に水没する位置に給気口を設け、該吸込口と該給気口とを連通させたことである。
【０００７】
また請求項４は、前記給気口に、多数の小径の孔を有する散気部材を設けたことである。
【０００８】
また請求項５は、ドア下排水管や追焚循環口受けトレーからの排水管を接続する接続部を、前記流入室に配設したことである。
【０００９】
また請求項６は、ドア下排水管や追焚循環口受けトレーからの排水管を接続する接続部を、前記流出室に配設したことである。
【００１０】
また請求項７は、排水トラップ内に溜められる封水の直上に配置されるヘアキャッチャー中央の底面が、ヘアキャッチャーの支持部より封水面に近い位置に配置されていることである。
【００１１】
また請求項８は、排水トラップ内に溜められる封水の直上に配置されるヘアキャッチャーには縦リブと横リブにより多数の小開口が形成されており、縦リブの内側面は渦流の回転方向に傾斜した傾斜面とされていることである。
【００１２】
また請求項９は、請求項１乃至請求項８何れかに記載の排水トラップを備えた浴室である。
【発明の効果】
【００１３】
本発明は、本体内を天面から垂設された遮蔽部材により流入室と流出室との２室に区画し、流入室の天面に洗い場排水流入用の開口を設け、遮蔽部材と本体底面との間の封水に水没した部位に流入室と流出室との連通部を設け、流出室に流出口を設けた排水トラップであって、前記流入室の側面に浴槽排水が流入する浴槽排水流入口を設け、前記浴槽排水により前記流入室内に渦流を発生させる渦流発生手段を設けたことにより、浴槽からの排水を利用して、この排水を排水トラップ内で渦流として上昇させ、渦流により排水トラップ内に装着したヘアキャッチャーに付着する髪の毛等を良好に剥がし、ヘアキャッチャーの中央部分にまとめることができるものとなる。これにより、ヘアキャッチャーは、中央部分以外に髪の毛が付着していない状態に保たれて、通水が良好となる。
【００１４】
また、前記流入室の平面視が略円形状であり、前記渦流発生手段が、浴槽排水が前記流入室の内周面に沿って流入するように開口された浴槽排水流入口と、湾曲状に設けられた前記遮蔽部材とで構成されていることにより、流入口から排水トラップ内に流入される浴槽排水が排水トラップの内周面と遮蔽部材に沿って旋回することで渦流が上昇し、渦流を排水トラップ内で上昇させることで、渦流により排水トラップ内に装着したヘアキャッチャーに付着する髪の毛等を良好に剥がし、ヘアキャッチャーの中央部分にまとめることができるものとなる。これにより、ヘアキャッチャーは、中央部分以外に髪の毛が付着していない状態に保たれて、通水が良好となる。
【００１５】
また、流入室の上方に吸込口を設け、前記流出室の封水に水没する位置に給気口を設け、該吸込口と該給気口とを連通させたことにより、排水トラップの下流の配管内で負圧が生じ、排水トラップ内の封水が下流側へ誘導される場合でも、吸込口から空気を吸込んで給気口から空気を流出室に取り入れることで負圧を抑制し、封水の下流への移動を抑制して封水切れを抑制することができるので、封水切れに伴う遮蔽部材の下端から空気が流出室へ入ることにより生じるボコボコという音を抑制することができる。
【００１６】
また、前記給気口に、多数の小径の孔を有する散気部材を設けたことにより、空気が給気口から流出室に取り入れられるときに発生する気泡を微細化するので、大きな気泡に比べ、流出室に気泡が発生するときに生じる音を抑えることができる。
【００１７】
また、ドア下排水管や追焚循環口受けトレーからの排水管を接続する接続部を、前記流入室に配設したことにより、接続部に設けられた逆止弁等を浴室内から良好にメンテナンスすることができ、逆止弁等の交換等が容易なものとなる。
【００１８】
また、ドア下排水管や追焚循環口受けトレーからの排水管を接続する接続部を、前記流出室に配設したことにより、接続部が渦流の邪魔をしないため、流入室内で良好に渦流を発生させることができるものとなる。
【００１９】
また、排水トラップ内に溜められる封水の直上に配置されるヘアキャッチャー中央の底面が、ヘアキャッチャーの支持部より封水面に近い位置に配置されていることにより、低水位からの排水による小さな渦流であっても、ヘアキャッチャー上のゴミや髪の毛を渦流の効果で良好に中央部にひとまとめにすることができるものとなる。
【００２０】
また、排水トラップ内に溜められる封水の直上に配置されるヘアキャッチャーには縦リブと横リブにより多数の小開口が形成されており、縦リブの内側面は渦流の回転方向に傾斜した傾斜面とされていることにより、流入室の内周面に沿って生じる渦流をスムーズにヘアキャッチャー内部に導入できる。そして、ヘアキャッチャー内部でも渦流ができるので、ヘアキャッチャーに付着する髪の毛等を良好に剥がし、ヘアキャッチャーの中央部分にまとめることができるものとなる。
また、この排水トラップを浴室に備えることにより、ヘアキャッチャーに付着する髪の毛等の除去作業の頻度が少なくなり、ひいては浴室のお手入れが軽減されるものとなる。
【実施例１】
【００２１】
以下、本発明の実施例を図面に基づいて説明する。
図１は、浴室の概略斜視構成図であり、また図２は、浴室の平面構成図であり、図３は、浴室の縦断面構成図である。
洗い場を形成する洗い場パン２と浴槽３間の堤防５上にエプロン４が立設され、このエプロン４側の洗い場パン２には凹み状に排水枡６が一体形成されており、排水枡６の下部に排水トラップ７が連結されている。
排水トラップ７の側面には、排水パイプ９が接続されており、排水パイプ９は浴槽３の底面に設けられている排水口に連通して、浴槽３内の浴槽排水が排水パイプ９を通り排水トラップ７内に流入されるものである。
【００２２】
また、排水トラップ７には、洗い場２側からの排水が排水枡６を通り上方より流入される洗い場排水流入用の開口Ａが設けられており、排水トラップ７の周側面には排出管１４が接続されて、排出管１４を通し排水できるように構成されている。
また、排水トラップ７には、浴槽３の側壁に設けられている追焚循環口から漏れる水を受け止める追焚循環口受けトレー１３からの排水がトレー排水管２５を介して流入され、また、入口ドア１０の下面のレールに垂設されているドア下排水受け１１に溜まった排水がドア下排水管１２を介して流入されるように構成されている。
【００２３】
図４は、排水枡および排水トラップの縦断面拡大構成図であり、図５は、排水トラップの斜視構成図であり、また図６は、排水トラップの水平面で切断した平面構成図である。
図４〜図６に示すように、排水枡６は洗い場パン２と一体状に凹み状に形成されており、その上面には排水口カバー８が覆設されるものである。
排水枡６の底側にはフランジ部材１５がパッキン１６を介して取り付けられ、このフランジ部材１５にネジで排水トラップ７の上端が取り付けられており、フランジ部材１５内には上方から着脱可能にヘアキャッチャー１７が取り付けられている。
【００２４】
このヘアキャッチャー１７は下方側へ向かって縮径する略円錐形状をなし、排水トラップ７内に溜められる封水の封水面Ｗの直上にその下端の底面が位置するように、フランジ部材１５に支持される上方の支持部１７ｎより封水面Ｗに近い位置に底面が配置されて取り付けられている。なお、支持部１７ｎは、ヘアキャッチャー１７の上方外周に設けられた溝であり、フランジ部材１５に設けられた突起１５Ｔと嵌合することによりヘアキャッチャー１７を支持している。そして嵌合により、渦流が上昇した際にもヘアキャッチャー１７が浮き上がらないようにされている。
【００２５】
このヘアキャッチャー１７の下端付近で排水トラップ７の側面に浴槽排水流入口１９が開口形成されており、浴槽排水流入口１９は、排水トラップ７の底面７ｂ側からヘアキャッチャー１７の下端よりも高い位置まで縦方向に延びる縦長状に形成されて、流入される浴槽排水の流速が増すように平面視オリフィス状を成している。なお、浴槽排水流入口１９は、排水トラップ７の円形内周面７ａと遮蔽部材１８で形成される円形内周面側に指向して開口されている。
この浴槽排水流入口１９には、外側へ突出状に接続部１９ａが連続しており、この接続部１９ａに前記浴槽３側から排水パイプ９が接続されるものである。
【００２６】
また、排水トラップ７の側面には、浴槽排水流入口１９と略反対側に流出口２０が形成されており、この流出口２０には前記排出管１４が接続されるものである。
流出口２０の上流側には、底面７ｂより一体状に立ち上げて封水壁２１が形成されており、この封水壁２１の上端が封水面Ｗとなるものである。
この封水壁２１の上流側には、排水トラップ７の天面７ｅから垂設された遮蔽部材１８が縦設されており、この遮蔽部材１８は、下端側から上方側に向かって拡径状に傾斜して縦設されたものであり、図６の平面図で示すように、排水トラップ７の内周面７ａと連続して平面視略円形状の内周面を形成するように浴槽排水流入口１９に対して湾曲状に配置されている。
なお、遮蔽部材１８は排水トラップ７内を流入室Ｒ１と流出室Ｒ２に区画するものであり、遮蔽部材１８の下端と排水トラップ７の底面７ｂとの間には、流入室Ｒ１と流出室Ｒ２を連通させる連通部Ｐが形成されている。
【００２７】
このような構成において、浴槽３の排水栓３ａが開けられ、浴槽３内の浴槽水が一気に排水パイプ９を通り浴槽排水流入口１９から排水トラップ７内に流入されると、浴槽排水は排水トラップ７の内周面７ａと遮蔽部材１８に沿って旋回して渦流となり、発生した渦流は、遮蔽部材１８が下端側から上方側に向かって拡径状（傾斜面が斜め上を向く）に傾斜されているため、遮蔽部材１８にガイドされて上昇渦流となり上昇する。
この上昇渦流が排水枡６の上面の排水口カバー８付近まで上昇するように遮蔽部材１８の傾斜角度が設定されていれば、上昇渦流により排水枡６の内周面やヘアキャッチャーに付着しているゴミや髪の毛が良好に落とされて、ゴミや髪の毛は渦の中心に集められ、渦の中心から下方へ落下して、ゴミや髪の毛はヘアキャッチャー１７の下端の底面中央部に良好に集められることとなる。これにより、ヘアキャッチャー１７は、その中央部分以外に髪の毛が付着していない状態に保たれ、通水が良好となる。また、排水トラップ７の内周面７ａ等に付着しているヌメリも除去できる可能性があり、渦流の一部は遮蔽部材１８の下端と底面７ｂ間の連通部Ｐを通り、封水壁２１の内周面のヌメリをも除去できる可能性がある。
なお、渦流の上昇水位を抑制するため、遮蔽部材１８の傾斜面を垂直にしたり、さらに抑制するため、傾斜面を逆拡径状（傾斜面が斜め下を向く）に傾斜させても良い。
【００２８】
なお、図６の平面図で示す連通部Ｐの長さＰａが短い（流出室Ｒ２が小さい）場合には、流入室Ｒ１から流出室Ｒ２への流量が少なくなるため、流入室Ｒ１に水が溜まり、渦流が高くなる。
また逆に、連通部Ｐの長さＰａが長い（流出室Ｒ２が大きい）場合には、流入室Ｒ１から流出室Ｒ２への流量が多くなるため、流入室Ｒ１に水が溜まりにくくなり、渦流が低くなる。
このように上昇渦流の設定は、遮蔽部材１８の傾斜角度による他に、流入室Ｒ１と流出室Ｒ２間の連通部Ｐの開口面積により調整することができる。
なお、浴槽排水流入口１９は縦長状に形成されているため、排水が勢いを増して流入し、排水トラップ７内で発生する渦流が安定し、更に渦流の水位を上げることができるものである。
【００２９】
なお、前記ヘアキャッチャー１７は、縦リブ１７ａと横リブ１７ｂで多数の小開口Ｋ，Ｋ，Ｋが形成されているが、図７の平面断面図で、また図８で要部を拡大して示すように、各縦リブ１７ａの内側面は、発生する渦流の回転方向に傾斜した傾斜面Ｓとなっており、渦流が抵抗なく小開口Ｋからヘアキャッチャー１７の内部に流入できるように構成されている。
なお、この傾斜面Ｓは、渦流の回転方向にアール状に形成したものであっても良く、渦流の抵抗とならないような形状に設定されている。
【００３０】
このように本例の排水トラップ７は、浴槽排水により内部で上昇渦流を発生させて、排水トラップ７内に装着したヘアキャッチャー１７に付着する髪の毛等を良好に剥がし、髪の毛等をヘアキャッチャー１７の中央部分にまとめることができるものとなる。これにより、ヘアキャッチャーは、その中央部分以外に髪の毛が付着していない状態に保たれ、通水が良好となる。
また、浴槽排水流入口１９が縦長状に形成されているため、低水位であっても排水枡６まで渦流を上昇させることができ、また遮蔽部材１８の傾斜角度等により渦流の上昇水位を制御可能であり、ヘアキャッチャー１７の位置まで渦流を上昇させたり、排水口カバー８上に渦流が漏れないように設定することができるものである。
【００３１】
なお、排水トラップ７の遮蔽部材１８と浴槽排水流入口１９間に、ドア下排水接続部２２が形成されており、このドア下排水接続部２２には、前述したようにドア下排水受け１１からの排水が流入されるものであり、ドア下排水接続部２２の内部には逆止弁が設けられているが、ドア下排水接続部２２は流入室Ｒ１の内側に配置されているため、内部に設けられる逆止弁等のメンテナンスが容易に行えるものである。
なお、図６の想像線で示すように、ドア下排水接続部２２を流出室Ｒ２に設けても良く、この場合は、ドア下排水接続部２２が渦流の邪魔をしない位置となるため、流入室Ｒ１内で渦流を良好に発生させることができる。
【００３２】
なお、排水トラップ７の浴槽排水流入口１９近傍の内周面７ａの内側には、扁平筒状の追焚導入管２４が縦設されており、この追焚導入管２４の上端は排水トラップ７から外側へ突出する追焚接続管２３に嵌め込まれており、この追焚接続管２３には追焚循環口受けトレー１３からの排水がトレー排水管２５を通って導入されるものであり、追焚導入管２４は流入室Ｒ１の内周面に沿って扁平であるため渦流の邪魔にならないものである。また、流入室Ｒ１に配置されているため、メンテナンスが容易に行える。
なお、追焚接続管２３を流出室Ｒ２に設ければ、追焚導入管２４を省略でき、さらに渦流の邪魔にならないものとなる。
【実施例２】
【００３３】
図９は、第２実施例の排水トラップの縦断面構成図であり、また図１０は、排水トラップを水平面内で切断した平面構成図である。また図１１は、第２実施例の排水トラップの上方から見た斜視構成図であり、図１２は、排水トラップを流出口側から見た斜視構成図である。
【００３４】
なお、本例においても、排水トラップ７内には、遮蔽部材１８を介して流入室Ｒ１と流出室Ｒ２が区画形成されており、浴槽３内の浴槽水が一気に排水パイプ９を通り、図９に示す浴槽排水口へ連通する通路Ｔを経て、浴槽排水流入口１９（図９では紙面手前側に存在する）から排水トラップ７内に流入されると、浴槽排水は排水トラップ７の内周面７ａと遮蔽部材１８に沿って旋回して渦流となり、発生した渦流は、遮蔽部材１８にガイドされて上昇渦流となり上昇し、渦流により排水トラップ７内に装着したヘアキャッチャー１７に付着している髪の毛等を良好に剥がし、髪の毛等をヘアキャッチャー１７の中央部分にまとめることができるように構成されており、第１実施例と同一の構成部材については同一の符号を付してその重複説明を省略し、第１実施例と異なる部分については詳細に説明を加える。
【００３５】
流入室Ｒ１内で発生した渦流が上方のヘアキャッチャー１７へ上昇するように構成され、ヘアキャッチャー１７は、縦リブ１７ａと横リブ１７ｂで多数の小開口Ｋが形成されており、本例では、このヘアキャッチャー１７には、側面部１７ｓと、底面部１７ｍが設けられており、側面部１７ｓは縦長の円錐（側面の傾斜角度の大きい円錐）を逆さまにして水平に截った形状に形成され、底面部１７ｍは扁平な円錐（側面の傾斜角度の小さい円錐）を逆さまにした形状に形成され、側面部１７ｓと底面部１７ｍとの接合部には小開口Ｋのない環状の孔無し部１７ｆが形成され、髪の毛がヘアキャッチャー１７の底側から下方へ抜け落ちないように構成されている。
【００３６】
即ち、ヘアキャッチャー１７の底には、縦方向に多数の底孔１７ｇが形成されており、ヘアキャッチャー１７の底側が断面図Ｕ字状の曲線であると、ヘアキャッチャー側面に沿って真直ぐ縦方向に流れてきた髪の毛が、底側の曲線部にさしかかったところで、縦方向のまま底孔１７ｇから下方へ抜脱する可能性が大となるが、本例のように、底面にさしかかる個所に孔無し部１７ｆを設けておくと、抜脱する可能性が少なくなる。
【００３７】
また、本例のヘアキャッチャー１７の側面部１７ｓは、傾斜角度が大きい（垂直に近い）ために下方でも流入室Ｒ１の内周面７ａから大きく離れることなく、流入室Ｒ１の内周面７ａに近づけて配置され、内周面７ａに沿って旋回する渦流がヘアキャッチャー１７内に入りやすいように構成されており、ヘアキャッチャー１７内に入った渦流により、ヘアキャッチャー上のゴミや髪の毛を渦流の効果で良好に中央部にひとまとめにすることができ、髪の毛はヘアキャッチャー１７の円錐形の底面部１７ｍ中央に溜められることとなる。
【００３８】
また、本例のヘアキャッチャー１７は、図１５の斜視図で示すように、取っ手１７ｃから垂下状に一体で吸気筒部２７が形成されており、この吸気筒部２７内は縦方向の吸気通路２７ｃとなっており、取っ手１７ｃの下面に吸気通路２７ｃに連通する吸込口２７ｄが開口されている。
また、取っ手１７ｃの下方には、略水平な当接板１７ｅが一体形成されており、この当接板１７ｅがフランジ部材１５の上面に当接するように構成されており、当接板１７ｅと取っ手１７ｃ間には、縦方向に傾斜状のガイド板１７ｄが一体形成されている。このガイド板１７ｄは、フランジ部材１５上に流れ落ちる洗い場排水に混入されている髪の毛等を取っ手１７ｃに引っかかりにくくして、髪の毛等を良好にヘアキャッチャー１７内に導くことができるように形成されている。
【００３９】
即ち、図１３に示すように、排水枡６の上面に覆設されている排水口カバー８の外周の隙間から洗い場の排水が排水枡６内に流入されると、フランジ部材１５上に洗い場排水が落ちてくるが、この排水をガイド板１７ｄに沿って良好にヘアキャッチャー１７内に導くように構成したものであり、図１４の平面配置図で示すように、破線で示す排水溝カバー８本体の裏面四隅には脚部８ａ，８ａ，８ａ，８ａが存在するが、ヘアキャッチャー１７のガイド板１７ｄの延長線（図中に二点鎖線で示す）上に脚部８ａが配置されるように構成されており、脚部８ａの両側から流れ落ちる髪の毛を良好にガイド板１７ｄでガイドさせてヘアキャッチャー１７内に導くことができるものである。
【００４０】
ヘアキャッチャー１７の吸気筒部２７の流入室中心側は、湾曲して凹み状に形成された湾曲面２７ａとなっており、内周面７ａに沿って旋回する渦流の抵抗にならないような形状に形成されている。この吸気筒部２７の下端には、下方より延長パイプ２８を差し込んで接続できるように構成されており、延長パイプ２８の流入室中心側も湾曲面２８ａに形成されている。この延長パイプ２８の下端には、着脱可能に差し込まれて吸気エルボ２６が接続されており、この吸気エルボ２６の流入室中心側も渦の抵抗とならないような湾曲面２６ａに形成されている（図１０を参照）。
なお、吸気筒部２７，延長パイプ２８，吸気エルボ２６の側縁は、鋭角な鋭角部２７ｂ，２８ｂ，２６ｂとなっており、渦流の抵抗とならないような鋭角形状に形成されている。
【００４１】
吸気エルボ２６の下端は、キャップ１８０から流入室Ｒ１側へ略水平に突出された突出部１８０ｂに接続されている。このキャップ１８０の突出部１８０ｂには、図１７に要部を拡大して示すように、一体状に格子状のメッシュ１８０ｄが形成されている。
なお、突出部１８０ｂは、キャップ１８０の中心より図示左側に偏心した渦流の下流側となる位置に突出されており、渦流に乱れが生じないように設定されている。
【００４２】
なお、キャップ１８０は、パッキン２９を介して遮蔽部材１８に着脱可能に取り付けられるものであり、遮蔽部材１８には、流出室Ｒ２側へ凹んで凹部１８ａが形成されており、この凹部１８ａに開口されている点検開口１８ｃに対し、このキャップ１８０の外周の爪１８０ａ，１８０ａ，１８０ａを嵌め込んで回し、点検開口１８ｃにキャップ１８０が着脱可能に、かつパッキン２９を介して水密状に取り付けられるものである。このキャップ１８０には、前述した如く、メッシュ１８０ｄを有する突出部１８０ｂが流入室Ｒ１側へ突出形成されており、この突出部１８０ｂと対向して流出室Ｒ２側へも突出して突出部１８０ｃが形成されている。
【００４３】
この流出室Ｒ２側へ突出した突出部１８０ｃには、図１５及び図１６に示すように、Ｌ管３０の上端の接続部３０ａが差し込み状に接続されるものである。
本発明の給気口を構成するＬ管３０の下端は、拡径した椀状の拡径部３０ｂとなっており、この拡径部３０ｂの内周には雌ネジが形成されている。この拡径部３０ｂの雌ネジに螺合するネジ３１ａを形成したキャップ３１が拡径部３０ｂに着脱可能に取り付けられるものであり、キャップ３１には底面及び側面に多数の孔（給気口）３１ｂが形成されている。なお、このキャップ３１が本発明の散気部材を構成する
【００４４】
従って、ヘアキャッチャー１７の吸気筒部２７，延長パイプ２８，吸気エルボ２６，キャップ１８０，Ｌ管３０，キャップ３１が図１５のように連続状に接続された状態で、図９のように排水トラップ７内に配置されるものであり、吸気筒部２７の上端の吸込口２７ｄは排水枡６内に配置されて、この吸込口２７ｄから空気を吸い込み、下端のキャップ３１の孔（給気口）３１ｂから空気を流出室Ｒ２内に供給できるように構成されている。
即ち、排水トラップ７の下流の配管内で負圧が生じ、排水トラップ７内の封水が下流側へ誘導される場合でも、吸込口２７ｄから空気を吸い込んでキャップ３１の孔（給気口）３１ｂから空気を流出室Ｒ２内に取り入れることで負圧を抑制し、封水の下流への移動を抑制して封水切れを抑制することができるので、封水切れに伴う遮蔽部材１８の下端から空気が流出室Ｒ２へ入ることにより生じるボコボコという音を抑制することができるものとなる。
【００４５】
なお、キャップ３１の孔（給気口）３１ｂは、直径が１．５ｍｍ程度の孔であり、８０個以上形成されており、気泡を微細化することによりブクブク音を小さくするように構成されている。なお、孔（給気口）３１ｂの直径は１〜３ｍｍが好ましい。孔径が小さすぎると抵抗が大きくなって良好に空気を取り入れられなくなる虞があり、孔径が大きすぎるとブクブク音を小さくする効果が不足するからである。
なお、キャップ３１を外した時の拡径部３０ｂの下端が、トラップの底面７ｂと遮蔽部材１８の下端間の連通部Ｐで構成される最小封水高ａと同じか又は下の位置になるように配置されており、常に拡径部３０ｂの下端は封水内に水没された状態に維持されて、臭いが逆流し吸込口２７ｄから洗い場へ逃げることのないように構成されている。
なお、前記メッシュ１８０ｄは、ヘアキャッチャー１７を取り外した時等に空気と共に吸気通路２７ｃ内に入ってくるゴミを捕捉するために設けられたものであり、メッシュ１８０ｄによりキャップ３１内にゴミが侵入しないように構成されている。
【００４６】
なお、本例では、図１０に示す１８Ｐの部分は、遮蔽部材１８の下端が底面７ｂに当接しており、１８Ｐの部分では、遮蔽部材１８の下端に連通部Ｐが存在しないように構成されている。これにより、流入室Ｒ１に導入されたばかりの勢いの良い浴槽水を流出室Ｒ２に逃がすことなく、流入室Ｒ１内の渦流発生に向けることができるので、確実に流入室Ｒ１内で渦流が発生される構造となっている。
【００４７】
なお、流入室Ｒ１内に浴槽排水を導入する浴槽排水流入口１９は縦長楕円形状に形成されているが、浴槽３の排水栓３ａに接続された排水パイプ９が接続される接続部１９ａは真円形状であるため、この真円形状の接続部１９ａから一体で縦長楕円形状の浴槽排水流入口１９を型で形成することは困難であるため、図１０及び図１８の分解図で示すように、接続部材３２で接続部１９ａと浴槽排水流入口１９が接続された構造となっている。
即ち、接続部１９ａは、箱状の差込部１９ｂと一体形成されており、この差込部１９ｂが差し込み状に接続される本体部３２ａが接続部材３２に形成されており、本体部３２ａから突出状に縦長楕円形状に差込部３２ｂが形成されており、この接続部材３２の差込部３２ｂが浴槽排水流入口１９に差し込み接続されたものとなっている。
なお、接続部材３２内には、本体部３２ａから縦長楕円形状の差込部３２ｂに連続して傾斜する縮径壁３２ｃが一体形成されている。これにより、浴槽排水流は、接続部１９ａでは断面が真円形状であり、差込部１９ｂにより高さ方向に拡がって断面が長方形状となり、差込部３２ｂにより幅方向が絞られ断面が縦長にされる。
【００４８】
なお、図１０の平面図で示すように、浴槽排水流入口１９の下流側の内周面７ａに沿って開閉可能に逆止弁３４が配設されており、この逆止弁３４には軸３３が一体化され、軸３３が、渦流に抵抗を生じさせないように内周面７ａから傾斜状または湾曲状に形成された軸受７ｄに上方側へ抜き取り可能に差し込まれている。
逆止弁３４は、内周面７ａの湾曲形状に沿う傾斜状あるいは湾曲状をなす形状に形成されて、渦流に抵抗が生じないように設定されており、この逆止弁３４は軸３３を上方へ抜き取って着脱できるものであり、取り付けた状態では、浴槽排水が浴槽排水流入口１９を通り流入される時には、その勢いで良好に開くことができ、逆に洗い場パン２側から洗い場排水が上方より流入してくる時には、その水圧で良好に閉じて浴槽排水流入口１９側を閉ざし、洗い場排水が浴槽３側へ逆流するのを防ぐことができるものである。
【００４９】
流入室Ｒ１の内周面７ａ側へ開口した接続突管部３５が、図１０及び図１１，図１９のように外側へ突出形成されており、この接続突管部３５には、追焚導入管２４の下端が接続され、さらに追焚導入管２４の上端には、エルボ状の追焚接続管２３が接続されるものであり、この追焚接続管２３には、追焚循環口受けトレー１３に溜められた排水がトレー排水管２５を介して導入されるように、トレー排水管２５が接続されるものである。
この追焚接続管２３には、水平に突出して一対の挟圧板２３ａ，２３ａが突出形成されており、また、追焚導入管２４にも一対の挟圧板２４ａ，２４ａが縦方向に突出形成されている。
【００５０】
一方、接続突管部３５上には、排水トラップの外壁に一体状に縦方向に垂直板３６が形成されており、追焚接続管２３が取り付けられる部分にも垂直板３６が縦方向に一体形成されており、垂直板３６，３６の左右側にはそれぞれ隙間を形成させて押え板３７，３７が水平に一体形成されている。
追焚導入管２４及び追焚接続管２３のそれぞれの挟圧板２３ａ，２４ａを垂直板３６，３６に挟み付けるように差し込んで、排水トラップ７の接続突管部３５に追焚接続管２３及び追焚導入管２４を取り付けて接続することができるように構成されている。
【００５１】
なお、追焚循環口受けトレー１３の存在しない浴槽３が設置されている現場においては、このような追焚接続管２３，追焚導入管２４は取り付ける必要がなく、接続突管部３５は入れ子型により排水トラップの成形時に開口のない壁面に成形するものである。
また、流入室Ｒ１側には、外方向へ突出してドア下排水接続部２２が突出形成されており、このドア下排水接続部２２には、ドア下排水受け１１からのドア下排水管１２が接続されるものであるが、排水トラップ７からドア下排水受け１１側への逆流を防止する機能が付与されたキャップ３８が、このドア下排水接続部２２に流入室Ｒ１側から取り付けられる。
【００５２】
このキャップ３８は、図２０に取り外した状態を、図２１に取り付けた状態を示し、また図２２に取付状態の縦断面構成図で示すような構造となっており、ドア下排水接続部２２の内周面にその外周面が当接される差込筒部３９の室内側には、渦流の抵抗にならないように内周面７ａと連続する湾曲面３９ａが形成され、この湾曲面３９ａから室内側へ突出して水平状の摘み部４０が形成されており、摘み部４０から垂直に垂下片４１が一体形成され、垂下片４１は湾曲状に形成されて、その裏側に、渦流の旋回方向の下流側に向かって横孔４２が開口されている。
即ち、垂下片４１は、渦流の上流側は閉ざされ、下流側が開口された横孔４２となっており、ドア下排水は、この横孔４２から内周面７ａに沿って旋回する渦流の下流側に向かって流されることとなる。従って、渦流は垂下片４１に遮られてドア下排水接続部２２側へ流出することが防がれ、ドア下排水受け１１側への逆流が良好に防がれるように構成されている。
【図面の簡単な説明】
【００５３】
【図１】浴室の概略斜視構成図である。
【図２】浴室の平面構成図である。
【図３】図２の縦断面構成図である。
【図４】排水枡および排水トラップの縦断面構成図である。
【図５】排水トラップの斜視構成図である。
【図６】排水トラップの水平面内で切断した平面拡大構成図である。
【図７】ヘアキャッチャーの水平面内で切断した平面拡大構成図である。
【図８】更に図７の要部を拡大した拡大図である。
【図９】第２実施例の排水トラップの縦断面構成図である。
【図１０】排水トラップを水平面内で切断した平面構成図である。
【図１１】第２実施例の排水トラップの上面側から見た斜視構成図である。
【図１２】排水トラップを違う方向から見た斜視構成図である。
【図１３】排水トラップを排水枡に取り付けた状態の概略配置構成図である。
【図１４】ヘアキャッチャーとその上方の排水枡との配置状態を示す平面拡大構成図である。
【図１５】ヘアキャッチャーとキャップと吸気通路の構成部材の組み付け状態の斜視構成図である。
【図１６】キャップとＬ管との分解斜視図である。
【図１７】吸気通路が接続されるキャップに形成された突出部の流入室側から見た拡大構成図である。
【図１８】浴槽排水流入口に取り付けられる接続部材の分解斜視構成図である。
【図１９】浴槽の追焚循環口からの排水を取り込む構成部材の分解斜視図である。
【図２０】ドア下排水を取り込むドア下排水接続部に内側からキャップを嵌め込む前の分解斜視図である。
【図２１】キャップを嵌め込んだ状態の斜視構成図である。
【図２２】キャップの嵌め込み状態の縦断面構成図である。
【符号の説明】
【００５４】
１  浴室
２  洗い場パン
３  浴槽
３ａ  排水栓
６  排水枡
７  排水トラップ
７ａ  内周面
７ｂ  底面
７ｄ  軸受
７ｅ  天面
８  排水口カバー
９  排水パイプ
１１  ドア下排水受け
１２  ドア下排水管
１３  追焚循環口受けトレー
１４  排出管
１５  フランジ部材
１７  ヘアキャッチャー
１７ａ  縦リブ
１７ｂ  横リブ
１７ｃ  取っ手
１７ｄ  ガイド板
１７ｅ  当接板
１７ｆ  孔無し部
１７ｇ  底孔
１７ｓ  側面部
１７ｍ  底面部
１７ｎ  支持部
１８  遮蔽部材
１８ａ  凹部
１８ｃ  点検開口
１９  浴槽排水流入口
１９ａ  接続部
１９ｂ  差込部
２０  流出口
２１  封水壁
２２  ドア下排水接続部
２３  追焚接続管
２３ａ，２４ａ  挟圧板
２４  追焚導入管
２６  吸気エルボ
２６ａ，２７ａ，２８ａ  湾曲面
２６ｂ，２７ｂ，２８ｂ  鋭角部
２７  吸気筒部
２７ｃ  吸気通路
２７ｄ  吸込口
２８  延長パイプ
２９  パッキン
３０  Ｌ管
３０ａ  接続部
３０ｂ  拡径部
３１  キャップ
３１ａ  ネジ
３１ｂ  孔（給気口）
３２  接続部材
３２ａ  本体部
３２ｂ  差込部
３２ｃ  縮径壁
３３  軸
３４  逆止弁
３５  接続突管部
３６  垂直板
３７  押え板
３８  キャップ
３９  差込筒部
３９ａ  湾曲面
４０  摘み部
４１  垂下片
４２  横孔
１８０  キャップ
１８０ａ  爪
１８０ｂ，１８０ｃ  突出部
１８０ｄ  メッシュ
Ｒ１  流入室
Ｒ２  流出室
Ａ  開口
Ｋ  小開口
Ｓ  傾斜面
Ｗ  封水面
Ｐ  連通部
【図１】
0004781226.tif 000002
【図２】
0004781226.tif 000003
【図３】
0004781226.tif 000004
【図４】
0004781226.tif 000005
【図５】
0004781226.tif 000006
【図６】
0004781226.tif 000007
【図７】
0004781226.tif 000008
【図８】
0004781226.tif 000009
【図９】
0004781226.tif 000010
【図１０】
0004781226.tif 000011
【図１１】
0004781226.tif 000012
【図１２】
0004781226.tif 000013
【図１３】
0004781226.tif 000014
【図１４】
0004781226.tif 000015
【図１５】
0004781226.tif 000016
【図１６】
0004781226.tif 000017
【図１７】
0004781226.tif 000018
【図１８】
0004781226.tif 000019
【図１９】
0004781226.tif 000020
【図２０】
0004781226.tif 000021
【図２１】
0004781226.tif 000022
【図２２】
0004781226.tif 000023